(57)【要約】      （修正有）【課題】三角関数計算は従来より関係本等の巻末の関数表によっていたのが実情である。【解決手段】平面板に縦横各々等間隔なる直交する複数の平行線を引く。この平行線の交点の一つを原点とする。これを基準に縦横各々目盛を付す。この原点より単位長さを半径とした円弧線を書く。三角関数の原理を容易にイメージでき、又その角度に対する対辺，隣辺の長さもあわせて読み取ることができるようにした。これを一枚の定規に集約しているため簡便で携帯にも便利である。【選択図】図１
2007249926.tif 000002
【特許請求の範囲】
【請求項１】
平面板に縦横各々等間隔なる直行する複数の平行線を引く。この平行線の交点の一つを原点とする。これを基準に縦横各々目盛を付す。この原点より単位長さを半径とした円弧線を書くことをもって成ることを特徴とする三角関数計算定規である。
【発明の詳細な説明】
【発明の詳細な説明】
「発明が解決しようとする課題」本発明は三角関数の正弦（ｓｉｎ）、余弦（ｃｏｓ）の値の算出に供する計算定規である。現在三角関数計算においてｓｉｎ、ｃｏｓ、あるいはｔａｎの値を求める場合は、数表を利用するのが一般的である。本発明はかかる問題を解決しようとするものである。「問題を解決するための手段」上記目的達成のため平面板に縦横各々複数の平行線を引き、原点より順次目盛を付ける。またこの原点を中心とした単位長さを半径とした円弧線を描いて成る。「発明の効果」以上の構成であるから、例えば正弦（ｓｉｎ）の場合原点を起点とした与えられた角度の線と当該円弧線の交点の縦線上の目盛がその角度に対するｓｉｎの値となる。又横線上の目盛はｃｏｓの値になる。つまり原点を起点とした求める角度の線と円弧との交点を目で見るだけで正弦、余弦の値が直ちに判るものである。「実施例」図面は本発明の実施例を示している。図においてＡは平面板を表し、Ｂは該平面板に表した図表である。図表Ｂは縦軸、横軸共複数の平行線を各々等間隔に配し目盛を付し、原点より該目盛の単位長さを半径とする円弧線を配して成る。又各目盛に応じた円弧線（Ｂｂ）を配することにより斜辺の任意長さに対応する対辺、隣辺の値を読取ることができる。又これを原点を中心とする回転する定規状のものをカーソル（ｆａ）として装備することによってもできる。この平面板は透明、不透明は問わないものであり柔軟性を有するものであってもよい。又三角関数計算図表として印刷物としても利用できる。「発明の効果」本発明によれば三角関数計算において、正弦（ｓｉｎ）余弦（ｃｏｓ）の値は円弧線との交点を読取ることによって得られる。正接（ｔａｎ）は正弦値を余弦値で割ればよい。もしくは縦目盛線（Ｄａ）との交点を読取ってもよい。このため当該目盛線を可能な範囲で延した定規としてもよい。又縦線（Ｄｂ）との交点も正接の値となる。本図表は三角形をイメージすることによりその原理を容易に理解できるため教材としても利用できる。図面の説明    上図は本発明の実施例を示す平面図である。    Ａ：平面板      Ｂ：図表    Ｂａ：単位半径に応じた円弧線    Ｃａ：縦線    Ｂｂ：各目盛に応じた円弧線      Ｃｂ：横線    Ｄａ：単位位置縦線    Ｄｂ：単位位置縦線              ｆａ：カーソル
【図１】
2007249926.tif 000003
【手続補正書】
【提出日】平成18年6月19日(2006.6.19)
【手続補正１】
【補正対象書類名】明細書
【補正対象項目名】全文
【補正方法】変更
【補正の内容】
【発明の詳細な説明】
【技術分野】
【０００１】本発明は三角関数の正弦（Ｓｉｎ），余弦（Ｃｏｓ），正接（Ｔａｎ）の値の算出に供する計算定規である。
【背景技術】
【０００２】現在  三角関数計算において、Ｓｉｎ、Ｃｏｓ、Ｔａｎの値を求める場合は数表を利用するのが一般的である。
【発明の開示】
【発明が解決しようとする課題】
【０００３】本発明は数表等に頼らず三角関数値を簡便にうる事ができるようにするものである。
【問題を解決しようとする手段】
【０００４】上記目的達成のため  平面版に縦横各々複数の平行線を引き、原点より順次目盛りを付ける。
またこの原点を中心とし単位長さを半径とした円弧線を描いて成る。
【発明の効果】
【０００５】以上の構成であるから、例えばＳｉｎの場合、原点を起点として与えられた角度の線と当該円弧線の交点の縦線上の目盛りがその角度に対するＳｉｎの値となる。
【０００６】又横線上の目盛りはＣｏｓの値となる。
【０００７】つまり原点を起点とした求める角度の線と円弧との交点を目で見るだけでＳｉｎ  Ｃｏｓの値が直ちに分かるものである。
【実施例】
【０００８】図面は本発明の実施例を示している。
図においてＡは平面版を表し、Ｂは該平面版に表した図表である。【０００９】図表Ｂは縦軸、横軸とも複数の平行線を各々等間隔に配し、原点より該目盛りの単位長さを半径とする円弧線（Ｂａ）を配して成る。【００１０】各目盛りに応じた円弧線（Ｂｂ）を配することにより斜辺の任意長さに対応する対辺  隣辺の値を読み取ることができる。【００１１】また原点を中心とする回転する定規状のものをカーソル（ｆａ）として装備することによってもできる。【００１２】Ｓｉｎ  Ｃｏｓの値は円弧線との交点を読み取ることによって得られる。【００１３】ＴａｎはＳｉｎをＣｏｓで割ればよい。もしくはたて目盛り線（Ｄａ）との交点を読み取ってもよい。【００１４】又縦線（Ｄｂ）との交点もＴａｎの値となる。【００１５】この平面版は透明、不透明は問わないものであり柔軟性を有するものであってもよい。【００１６】又三角関数計算図表として印刷物としても利用できる。
【産業上の利用可能性】
【００１７】一枚の定規で三角関数値の読み取りができるため携帯用としても簡便に利用できる。又本図表は三角形をイメージすることによりその原理を容易に理解できるので教材としても利用できるものである。
【図面の簡単な説明】
【００１８】
【図１】本発明の実施例を示す平面図である。
【符号の説明】
【００１９】Ａ    平面版
Ｂ    図表
Ｂａ  単位半径に応じた円弧線
Ｂｂ  各目盛りに応じた円弧線
Ｃａ  縦線
Ｃｂ  横線
Ｄａ  単位位置縦線
Ｄｂ  単位位置縦線
ｆａ  カーソル
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
被測定物における所定の角度に対する正弦または余弦を求めるための三角関数計算定規であって、
平面版と、
前記平面版上の所定の位置に設けられた原点と、
前記平面版において、前記原点を通り、第１の方向に延びる第１軸と、
前記平面版において、前記原点を通り、前記第１の方向と直交する方向である第２の方向に延びる第２軸と、
前記平面版において、前記原点を中心とし、所定の大きさの半径を有する第１の円弧線と、
前記第１軸上に配置され、前記第１軸上の値を示す第１の目盛と、
前記第２軸上に配置され、前記第２軸上の値を示す第２の目盛と、
を備え、
前記原点を一端として前記第１軸に対して前記所定の角度をなす前記被測定物の一辺と、前記第１の円弧線との交点における前記第１軸上の値を読み取ることにより、前記所定の角度に対する余弦の値を求め、前記交点における前記第２軸上の値を読み取ることにより、前記所定の角度に対する正弦の値を求める三角関数計算定規。
【請求項２】
前記平面版において、前記第１軸と前記第１の円弧線との交点を通り、前記第２の方向に延びる第３の直線をさらに備え、前記原点を一端として前記第１軸に対して前記所定の角度をなす前記被測定物の一辺と前記第３の直線との交点における前記第２軸上の値を読み取ることにより、前記所定の角度に対する正接の値を求める請求項１に記載の三角関数計算定規。
【請求項３】
前記平面版において、前記第１の目盛を通り、前記第２の方向に延びる第１の目盛り線と、前記第２の目盛を通り、前記第１の方向に延びる第２の目盛り線とをさらに備える請求項１に記載の三角関数計算定規。
【請求項４】
前記第１の円弧線の半径よりも大きな長さを有し、一端が前記原点に取り付けられ、前記原点を中心として前記平面版上を回転する回転部材をさらに備える請求項１に記載の三角関数計算定規。
【請求項５】
前記第１の目盛、及び前記第２の目盛はそれぞれ等間隔で複数配置され、前記複数の第１の目盛間の間隔と前記複数の第２の目盛間の間隔とが等しい請求項１に記載の三角関数計算定規。
【請求項６】
前記平面版において、前記原点を中心とし、前記複数の第１の目盛を通る複数の円弧線をさらに備える請求項５に記載の三角関数計算定規。
【請求項７】
前記平面版は、透明であり柔軟性を有する請求項１に記載の三角関数計算定規。
【手続補正２】
【補正対象書類名】明細書
【補正対象項目名】全文
【補正方法】変更
【補正の内容】
【発明の詳細な説明】
【技術分野】
【０００１】
本発明は三角関数の正弦（Sin）、余弦（Cos）、正接（Tan）の値の算出に供する計算定規である。
【背景技術】
【０００２】
現在、三角関数計算において、Sin、Cos、Tanの値を求める場合は数表を利用するのが一般的である。
【発明の開示】
【発明が解決しようとする課題】
【０００３】
本発明は数表等に頼らず三角関数値を簡便にうる事ができるようにするものである。
【課題を解決するための手段】
【０００４】
上記目的達成のため、平面版に縦横各々複数の平行線を引き、原点より順次目盛を付ける。またこの原点を中心とし単位長さを半径とした円弧線を描いて成る。
【発明の効果】
【０００５】
以上の構成であるから、例えばSinの場合、原点を起点として与えられた角度の線と前記円弧線の交点の縦線上の目盛がその角度に対するSinの値となる。
【０００６】
又Cosの場合、原点を起点として与えられた角度の線と前記円弧線の交点の横線上の目盛はその角度に対するCosの値となる。
【０００７】
つまり原点を起点とした求める角度の線と円弧との交点を目で見るだけで、Sin、Cosの値が直ちに分かるものである。
【発明を実施するための最良の形態】
【０００８】
以下、本発明の実施の形態を図１に基づいて説明する。
【実施例】
【０００９】
図面は本発明の実施例を示している。図においてＡは平面版を表し、Ｂは該平面版に表した図表である。
【００１０】
図表Ｂは縦軸Ｙ（第２軸）、及び横軸Ｘ（第１軸）に平行な複数の平行線Ｃａ１〜Ｃａ１０、及びＣｂ１〜Ｃｂ１０を各々等間隔に配している。図表Ｂには、前記縦軸Ｙ方向の複数の平行線Ｃａ１〜Ｃａ１０と前記横軸Ｘとの交点にそれぞれ目盛り（第１の目盛）が付され、前記横軸Ｘ方向の前記複数の平行線Ｃｂ１〜Ｃｂ１０と前記縦軸Ｙとの交点にもそれぞれ目盛り（第２の目盛）が付されている。さらに、原点Ｏより前記目盛りの単位長さ１０を半径とする円弧線Ｂａが配されている。
【００１１】
さらに、前記各目盛りに応じた円弧線Ｂｂ２〜Ｂｂ９を配することにより斜辺の任意の長さに対応する対辺（Sin）、隣辺（Cos）の値を読み取ることができる。例えば、被測定物の斜辺αの長さが５と６の間である場合、斜辺αと半径の大きさが５である前記円弧線Ｂｂ５との交点Ｌにおける、前記横軸Ｘ上の値Ｌｘを読み取る。前記Ｌｘの値を前記円弧線Ｂｂ５の半径５で割った値が、前記横軸Ｘと前記被測定物の斜辺αがなす角度におけるCosの値となる。また、前記交点Ｌにおける、前記縦軸Ｙ上の値Ｌｙを読み取り、前記円弧線Ｂｂの半径５で割った値が、前記角度におけるSinの値となる。
【００１２】
また原点Ｏを中心として回転する定規状のものをカーソルｆａとして装備することによっても、任意の長さの斜辺を有する被測定物の、SinおよびCosの値を読み取ることができる。例えば、被測定物の斜辺γの長さが前記単位長さ１０よりも短い場合であっても、前記カーソルｆａを前記斜辺γに重ね合わせ、前記カーソルｆａと前記単位長さ１０を半径とする円弧線Ｂａとの交点Ｍにおける前記横軸Ｘ上の値Ｍｘを読み取る。前記Ｍｘを前記単位長さ１０で割った値が、前記横軸Ｘと前記被測定物の斜辺γとがなす角度におけるCosの値となる。また、前記交点Ｍにおける前記縦軸Ｙ上の値Ｍｙを読み取り、前記単位長さ１０で割った値が、前記角度におけるSinの値となる。
【００１３】
Sin、Cosの値は被測定物の一辺βを前記横軸Ｘに重ね合わせた状態で、前記被測定物の他辺と前記円弧線Ｂａとの交点を読み取ることによって得られる。例えば、前記横軸Ｘ及び前記被測定物の一辺β、並びに前記原点Ｏ及び前記被測定物の一辺βと前記被測定物の他辺αとの交点をそれぞれ重ね合わせた状態で、前記被測定物の他辺αと前記単位長さ１０を半径とする円弧線Ｂａとの交点Ｉにおける前記横軸Ｘ上の値Ｉｘを読み取る。前記Ｉｘを前記単位長さ１０で割った値が、前記横軸Ｘと前記被測定物の他辺αとがなす角度におけるCosの値となる。また、前記交点Ｉにおける前記縦軸Ｙ上の値Ｉｙを読み取り、前記単位長さ１０で割った値が、前記角度におけるSinの値となる。
【００１４】
Tanの値を求めるにはSinの値をCosの値で割ればよい。もしくは被測定物の一辺βを前記横軸Ｘに重ね合わせた状態で、前記被測定物の他辺と単位位置縦線Ｄａ（第３の直線）との交点を読み取ってもよい。例えば、前記横軸Ｘ及び前記被測定物の一辺β、並びに前記原点Ｏ及び前記被測定物の一辺βと前記被測定物の他辺αとの交点をそれぞれ重ね合わせた状態で、前記被測定物の他辺αと前記単位位置縦線Ｄａとの交点Ｊにおける前記縦軸Ｙ上の値Ｊｙを読み取る。前記Ｊｙを、前記単位長さ１０で割った値が、前記横軸Ｘと前記被測定物の他辺αとがなす角度におけるTanの値となる。
【００１５】
また、前記横軸Ｘ及び前記被測定物の一辺β、並びに前記原点Ｏ及び前記被測定物の一辺βと前記被測定物の他辺αとの交点をそれぞれ重ね合わせた状態で、前記被測定物の他辺αと単位位置縦線Ｄｂ（第３の直線）との交点Ｋにおける前記縦軸Ｙ上の値Ｋｙを読み取ることによっても、前記横軸Ｘと前記被測定物の他辺αとがなす角度におけるTanの値を求めることができる。
【００１６】
この平面版は透明、不透明は問わないものであり柔軟性を有するものであってもよい。
【００１７】
又三角関数計算図表として印刷物としても利用できる。
【産業上の利用可能性】
【００１８】
一枚の定規で三角関数値の読み取りができるため携帯用としても簡便に利用できる。又本図表は三角形をイメージすることによりその原理を容易に理解できるので教材としても利用できるものである。
【図面の簡単な説明】
【００１９】
【図１】本発明の実施例を示す平面図である。
【符号の説明】
【００２０】
Ａ    平面版
Ｂ    図表
Ｂａ  単位長さの半径に応じた円弧線
Ｂｂ２〜Ｂｂ９  各目盛りに応じた円弧線
Ｃａ１〜Ｃａ１０  縦軸方向の複数の平行線
Ｃｂ１〜Ｃｂ１０  横軸方向の複数の平行線
Ｄａ  単位位置縦線
Ｄｂ  単位位置縦線
ｆａ  カーソル
Ｉ    被測定物の斜辺αと円弧線Ｂａとの交点
Ｊ    被測定物の斜辺αと単位位置縦線Ｄａとの交点
Ｋ    被測定物の斜辺αと単位位置縦線Ｄｂとの交点
Ｌ    被測定物の斜辺αと円弧線Ｂｂ５との交点
Ｍ    カーソルｆａと円弧線Ｂａとの交点
Ｏ    原点
Ｘ    横軸
Ｙ    縦軸
α    被測定物の斜辺（他辺）
β    被測定物の隣辺（一辺）
γ    被測定物の斜辺
【手続補正３】
【補正対象書類名】図面
【補正対象項目名】全図
【補正方法】変更
【補正の内容】
【図１】
2007249926.tif 000004